(57)【要約】【課題】熱の伝達を抑制することができるとともに、現場での施工を容易にして施工コストを低減させることができる建物ユニットを提供すること。【解決手段】下階建物ユニットは、４本の柱１０と、これらの柱１０の上端間同士を連結する４本の天井梁と、各柱１０の下端間同士を連結する４本の床梁１２とを含む骨組みを有し、略直方体状に形成されている。床梁１２は、外部からの熱が伝達されやすい鋼製部材である。そして、長辺床梁１２Ａの下面には、梁長手方向に沿って梁用断熱部材８が取り付けられている。梁用断熱部材８は、板状に形成された合板８１、及び梁用板状断熱材８２を接着剤等で接合して構成され、合板８１は長辺床梁１２Ａの下面にボルト８３にて取り付けられている。【選択図】図４
2010090565.tif 000002
【特許請求の範囲】
【請求項１】
上下の梁及び柱から直方体状の骨組みが形成された建物ユニットであって、
前記上下の梁の少なくともいずれか一方は外部からの熱が伝達されやすい易熱伝達梁とされ、
前記易熱伝達梁の外部に露出する部分に梁長手方向に沿って取り付けられる断熱部材を備え、
前記断熱部材は、合板及び板状断熱材を接合して構成され、前記合板は前記易熱伝達梁に取り付けられることを特徴とする建物ユニット。
【請求項２】
請求項１に記載の建物ユニットにおいて、
前記易熱伝達梁は前記建物ユニットの基礎側に下面を有する下梁とされ、
前記断熱部材は前記下梁の下面に取り付けられることを特徴とする建物ユニット。
【請求項３】
請求項２に記載の建物ユニットにおいて、
前記下梁及び前記合板を接合するボルトを備え、
前記板状断熱材には前記ボルトを挿通するボルト孔が形成されていることを特徴とする建物ユニット。
【請求項４】
請求項３に記載の建物ユニットにおいて、
前記板状断熱材には防蟻剤が含有されていることを特徴とする建物ユニット。
【請求項５】
請求項４に記載の建物ユニットにおいて、
前記断熱部材は、前記下梁の幅方向寸法と略同じ幅方向寸法とされていることを特徴とする建物ユニット。
【請求項６】
請求項１から請求項５のいずれかに記載の建物ユニットと、
上下の梁及び柱から直方体状の骨組みが形成された他の建物ユニットとを組み合わせて建てられることを特徴とするユニット式建物。
【発明の詳細な説明】
【技術分野】
【０００１】
本発明は、建物ユニット、及びユニット式建物に関する。
【背景技術】
【０００２】
鋼製部材を用いた建物では、冬期、鋼製部材特有の熱橋による影響を受ける。熱橋とは構造体における極端に熱伝導率の大きな部分をいい、この部分は他の部分よりも熱を伝えやすい熱的短絡部となる。
従来、この熱橋対策として、床下地パネルを金属製大引きで支持し、床下地パネルの下側であって大引きを挟んで両側に配置された床断熱材を断熱材支持具で支持し、この断熱材支持具を、大引きと床下地パネルとの間に配置される上面部と、この上面部の両側に設けられ、下端部で断熱材を支持する側面部とを有するコ字型に形成したものがある（例えば、特許文献１参照）。
また、床材が支持される鋼製大引きを断熱材で覆うものがある（例えば、特許文献２参照）。また、床の断熱対策として、スチールハウスの鋼製根太の周囲を断熱材で覆うものがある（例えば、特許文献３参照）。さらに、ユニット式建物では、基礎を断熱基礎とし、この基礎の中を暖めるものがある。
【０００３】
【特許文献１】特開２００７−２１７８８０号公報
【特許文献２】特開２００５−３０７４４７号公報
【特許文献３】特開平１１−１５９０１９号公報
【発明の開示】
【発明が解決しようとする課題】
【０００４】
しかしながら、引用文献１〜３に記載の熱橋対策では、大引きや根太を断熱材等で覆う必要があるので、現場での施工が煩雑となるという問題がある。また、基礎を断熱基礎とし、この基礎の中を暖める熱橋対策では、構造が大がかりになるので施工コストが高くなり、床下換気がとりにくいという問題がある。
【０００５】
本発明の目的は、熱の伝達を抑制することができるとともに、現場での施工を容易にして施工コストを低減させることができる建物ユニット、及びユニット式建物を提供することである。
【課題を解決するための手段】
【０００６】
図面を参照して説明すると、本発明の建物ユニット３は、上下の梁１１，１２及び柱１０から直方体状の骨組み１３が形成された建物ユニット３であって、上下の梁１１，１２の少なくともいずれか一方は外部からの熱が伝達されやすい易熱伝達梁とされ、易熱伝達梁の外部に露出する部分に梁長手方向に沿って取り付けられる断熱部材８を備え、断熱部材８は、合板８１及び板状断熱材８２を接合して構成され、合板８１は易熱伝達梁に取り付けられることを特徴とする。
【０００７】
このような構成によれば、外部からの熱が伝達されやすい易熱伝達梁には、断熱部材８が取り付けられているので、易熱伝達梁から建物ユニット３全体への熱の伝達を抑制できる。また、易熱伝達梁に断熱部材８を取り付けるだけで済むので現場での施工を容易にして施工コストを低減させることができる。
【０００８】
本発明では、易熱伝達梁は建物ユニット３の基礎２側に下面を有する下梁１２とされ、断熱部材８は下梁１２の下面に取り付けられることが好ましい。
このような構成によれば、冷気が集まりやすい建物ユニット３における基礎２の直上に配置される下梁１２に断熱部材８を取り付けるので、熱橋対策を効率的に行うことができる。
【０００９】
本発明では、下梁１２及び合板８１を接合するボルト８３を備え、板状断熱材８２にはボルト８３を挿通するボルト孔８２１が形成されていることが好ましい。
このような構成によれば、ボルト孔８２１を介して下梁１２及び合板８１をボルト８３にて接合することができるので容易に断熱部材８を下梁１２に取り付けることができる。
【００１０】
本発明では、板状断熱材８２には防蟻剤が含有されていることが好ましい。
このような構成によれば、断熱部材８にて防蟻ラインを形成することができる。
【００１１】
本発明では、断熱部材８は、下梁１２の幅方向寸法と略同じ幅方向寸法とされていることが好ましい。
このような構成によれば、断熱部材８は略全体が下梁１２に当接するので、他の建物ユニットに干渉しないように施工することができる。
【００１２】
本発明のユニット式建物１は、前述した建物ユニット３と、上下の梁１１，１２及び柱１０から直方体状の骨組み１３が形成された他の建物ユニットとを組み合わせて建てられることを特徴とする。
このような構成によれば、前述した建物ユニット３と同様の作用効果を奏することができる。
【発明を実施するための最良の形態】
【００１３】
〔第１実施形態〕
以下、本発明の第１実施形態を図面に基づいて説明する。
図１は、本発明の第１実施形態に係るユニット式建物１の全体構成を示す斜視図である。
ユニット式建物１は、図１に示すように、基礎２の上に設けられた６個の下階建物ユニット３からなる下階部４と、下階建物ユニット３の上に載置された６個の上階建物ユニット５からなる上階部６と、上階部６の上方に設けられる屋根部（図示略）とを備える。
【００１４】
下階部４において、各下階建物ユニット３は、そのうち２個の下階建物ユニット３の短辺同士が対向する方向に隣り合うとともに、これらの隣り合った２個の下階建物ユニット３が対向方向と交差する方向に沿って配列されている。そして、上階部６において、各上階建物ユニット５は、各下階建物ユニット３の上部に配置されている。
また、図１中手前側の２個の下階建物ユニット３、及び２個の上階建物ユニット５と、中間の２個の下階建物ユニット３、及び２個の上階建物ユニット５とは所定間隔だけ離れて配置され、離し置き部７を構成している。この離し置き部７は、複数の壁パネル７１にて閉塞されている。
【００１５】
図２は、下階建物ユニット３、及び上階建物ユニット５の骨組み１３を示す斜視図である。
下階建物ユニット３、及び上階建物ユニット５は、図２に示すように、四隅に立設される４本の柱１０と、これらの柱１０の上端間同士を連結する４本の上梁としての天井梁１１と、各柱１０の下端間同士を連結する４本の下梁としての床梁１２とを含む骨組み１３を有し、略直方体状に形成されている。
【００１６】
そして、下階建物ユニット３、及び上階建物ユニット５において、天井梁１１は各２本ずつの長辺天井梁１１Ａおよび短辺天井梁１１Ｂで構成され、床梁１２は各２本ずつの長辺床梁１２Ａおよび短辺床梁１２Ｂで構成されている。そして、２本の長辺天井梁１１Ａ間、及び２本の長辺床梁１２Ａ間には、複数本の天井小梁（図示略）、複数本の根太３２（図７参照）がそれぞれ架け渡されている。また、柱１０と天井梁１１および床梁１２とは、仕口１４を介して接続されている。
【００１７】
図３は、基礎２を上方側から見た図である。なお、図３では、下階建物ユニット３を二点鎖線で示している。
基礎２は、下階建物ユニット３に向かって突出する略矩形状の枠断面を有し、図３に示すように、格子枠状に形成されている。そして、各下階建物ユニット３は、床梁１２を接続する仕口１４を介してボルト等で接合されることによって基礎２に固定され、基礎２、及び床梁１２の間には僅かな隙間が設けられている。すなわち、床梁１２は、下階建物ユニット３の基礎２側に下面を有している。また、床梁１２は、外部からの熱が伝達されやすい鋼製部材であり、本発明における易熱伝達梁に相当する。
【００１８】
そして、長辺床梁１２Ａの下面には、梁長手方向に沿って梁用断熱部材８が取り付けられている。なお、梁用断熱部材８は、工場において、下階建物ユニット３を製造する際に長辺床梁１２Ａに取り付けてユニット化しておいてもよく、下階建物ユニット３の施工に際して、長辺床梁１２Ａに取り付けるようにしてもよい。
また、基礎２において、床梁１２と対向する部分には、床梁１２の延出方向に沿って基礎用断熱部材９が両側面に取り付けられている。
【００１９】
図４は、図３のI−I線断面図である。図５は、図３のII−II線断面図である。
各下階建物ユニット３の床梁１２間には、図４、及び図５に示すように、下階の床パネルユニット２０が設けられている。また、離し置き部７には、図５に示すように、下階建物ユニット３の高さレベルに下階の床パネルユニット２１が設けられている。そして、床パネルユニット２０，２１の内部には、断熱材２２がそれぞれ設けられている。
長辺床梁１２Ａは、図４に示すように、断面コ字状に形成され、隣り合う下階建物ユニット３における長辺床梁１２Ａの間には、断熱材２３が設けられている。
【００２０】
図６は、長辺床梁１２Ａ、及び梁用断熱部材８の接合状態を示す斜視図である。
断熱部材としての梁用断熱部材８は、図４〜図６に示すように、板状に形成された合板８１、及び梁用板状断熱材８２を接着剤等で接合して構成される。
合板８１には、図６に示すように、ボルト８３のネジ部を挿通させるための孔８１１が形成されている。また、長辺床梁１２Ａにおいて、孔８１１に対向する位置にもボルト８３のネジ部を挿通させるための孔１２１が形成されている。さらに、梁用板状断熱材８２には、図４、及び図５に示すように、各孔８１１，１２１に対向する位置にボルトの頭部を挿通させるためのボルト孔８２１が形成されている。そして、合板８１は長辺床梁１２Ａの下面にボルト８３にて取り付けられている。
なお、板状断熱材としての梁用板状断熱材８２には、防蟻剤が含有されている。また、梁用断熱部材８の幅方向寸法は、図６に示すように、長辺床梁１２Ａの下面の幅方向寸法と略同じ幅方向寸法とされている。
【００２１】
図７は、図３のIII−III線断面図である。
短辺床梁１２Ｂは、図７に示すように、断面コ字状に形成され、この短辺床梁１２Ｂの内部には、断熱材３０が設けられ、この断熱材３０を覆うように断面コ字状の対向梁３１が設けられている。また、対向梁３１には、２本の長辺床梁１２Ａ間に架け渡される根太３２が当接している。さらに、隣り合う下階建物ユニット３における短辺床梁１２Ｂの間には、断熱材３３が設けられている。
【００２２】
図８は、短辺床梁１２Ｂ、及び基礎用断熱部材９の接合状態を示す斜視図である。
基礎用断熱部材９は、図７、及び図８に示すように、大きさの異なる板状に形成された２つの基礎用板状断熱材９１，９２を接着剤等で貼り合わせて構成されている。この基礎用断熱部材９は、基礎２、及び短辺床梁１２Ｂの間の隙間を密封し、短辺床梁１２Ｂが外部に露出しないように基礎２に取り付けられている。
【００２３】
このような本実施形態によれば、以下のような効果がある。
（１）外部からの熱が伝達されやすい長辺床梁１２Ａには、梁用断熱部材８が取り付けられているので、長辺床梁１２Ａから下階建物ユニット３全体への熱の伝達を抑制できる。また、長辺床梁１２Ａに梁用断熱部材８を取り付けるだけで済むので現場での施工を容易にして施工コストを低減させることができる。
（２）冷気が集まりやすい下階建物ユニット３における基礎２の直上に配置される長辺床梁１２Ａに梁用断熱部材８を取り付けるので、熱橋対策を効率的に行うことができる。
【００２４】
（３）ボルト孔８２１を介して長辺床梁１２Ａ及び合板８１をボルト８３にて接合することができるので容易に梁用断熱部材８を長辺床梁１２Ａに取り付けることができる。
（４）梁用板状断熱材８２には防蟻剤が含有されているので、梁用断熱部材８にて防蟻ラインを形成することができる。
【００２５】
（５）梁用断熱部材８は略全体が長辺床梁１２Ａに当接するので、他の建物ユニットに干渉しないように施工することができる。
（６）基礎用断熱部材９は、基礎２、及び短辺床梁１２Ｂの間の隙間を密封し、短辺床梁１２Ｂが外部に露出しないように基礎２に取り付けられているので、短辺床梁１２Ｂから下階建物ユニット３全体への熱の伝達を抑制できる。また、基礎２に基礎用断熱部材９を取り付けるだけで済むので現場での施工を容易にして施工コストを低減させることができる。
【００２６】
〔第２実施形態〕
以下、本発明の第２実施形態を図面に基づいて説明する。
図９は、本発明の第２実施形態に係る基礎２Ａを上方側から見た図である。なお、図９では、下階建物ユニット３を二点鎖線で示している。図１０は、図９のIV−IV線断面図である。
なお、以下の説明では、既に説明した部分については、同一符号を付してその説明を省略する。
【００２７】
前記第１実施形態では、隣り合う下階建物ユニット３における長辺床梁１２Ａの下面には、梁長手方向に沿って梁用断熱部材８が取り付けられていた。これに対して、本実施形態では、ユニット式建物１Ａは、前記第１実施形態における基礎２とは異なる形状の基礎２Ａを備え、この基礎２Ａにおいて、隣り合う下階建物ユニット３における長辺床梁１２Ａと対向する部分には、長辺床梁１２Ａの延出方向に沿って基礎用断熱部材９が両側面に取り付けられている点で異なる。
なお、離し置き部７における長辺床梁１２Ａの下面には、前記第１実施形態と同様に梁用断熱部材８が取り付けられている。
このような本実施形態においても、前記第１実施形態と同様の作用、効果を奏することができる。
【００２８】
〔実施形態の変形〕
なお、本発明は、前記各実施形態に限定されるものではない。
例えば、前記各実施形態では、易熱伝達梁は下階建物ユニット３の基礎２側に下面を有する長辺床梁１２Ａとされ、梁用断熱部材８は長辺床梁１２Ａの下面に取り付けられていた。これに対して、例えば、易熱伝達梁を建物ユニットの屋根部側に上面を有する上梁とし、断熱部材を上梁の上面に取り付けてもよい。要するに、易熱伝達梁は、上下の梁の少なくともいずれか一方とされ、断熱部材は、易熱伝達梁の外部に露出する部分に梁長手方向に沿って取り付けられていればよい。
【００２９】
前記各実施形態では、梁用断熱部材８は、板状に形成された合板８１、及び梁用板状断熱材８２を接着剤等で接合して構成され、合板８１は長辺床梁１２Ａの下面にボルト８３にて取り付けられていた。これに対して、例えば、断熱部材は、上下の梁の少なくともいずれか一方に接着剤等で貼り付けられていてもよい。
前記各実施形態では、梁用板状断熱材８２には、防蟻剤が含有されていたが、防蟻剤は含有されていなくてもよい。
【００３０】
前記各実施形態では、梁用断熱部材８は、長辺床梁１２Ａの幅方向寸法と略同じ幅方向寸法とされていた。これに対して、例えば、断熱部材は、上下の梁の少なくともいずれか一方の幅方向寸法より大きい幅方向寸法とされていてもよく、小さい幅方向寸法とされていてもよい。要するに、断熱部材は、易熱伝達梁の外部に露出する部分に梁長手方向に沿って取り付けられていればよい。
【図面の簡単な説明】
【００３１】
【図１】本発明の第１実施形態に係るユニット式建物の全体構成を示す斜視図。
【図２】前記実施形態における下階建物ユニット、及び上階建物ユニットの骨組みを示す斜視図。
【図３】前記実施形態における基礎を上方側から見た図。
【図４】前記実施形態における図３のI−I線断面図。
【図５】前記実施形態における図３のII−II線断面図。
【図６】前記実施形態における長辺床梁、及び梁用断熱部材の接合状態を示す斜視図。
【図７】前記実施形態における図３のIII−III線断面図。
【図８】前記実施形態における短辺床梁、及び基礎用断熱部材の接合状態を示す斜視図。
【図９】本発明の第２実施形態に係る基礎を上方側から見た図。
【図１０】前記実施形態における図９のIV−IV線断面図。
【符号の説明】
【００３２】
１，１Ａ…ユニット式建物
２，２Ａ…基礎
３…下階建物ユニット（建物ユニット）
８…梁用断熱部材（断熱部材）
１０…柱
１１…天井梁（上梁）
１２…床梁（下梁）
８１…合板
８２…梁用板状断熱材（板状断熱材）
８３…ボルト
８２１…ボルト孔。
【図１】
2010090565.tif 000003
【図２】
2010090565.tif 000004
【図３】
2010090565.tif 000005
【図４】
2010090565.tif 000006
【図５】
2010090565.tif 000007
【図６】
2010090565.tif 000008
【図７】
2010090565.tif 000009
【図８】
2010090565.tif 000010
【図９】
2010090565.tif 000011
【図１０】
2010090565.tif 000012